(57)【要約】  フレーム（１１、１９）と、前記フレームに移動可能に取り付けられた少なくとも１つのブレード（２５）と、を備え、各ブレードは、各ブレードがフレームの上停止部分（５２）を当接支持する静止位置に向けて弾性的に付勢され、前記ブレードの前記上面は、上停止部分とほぼ平行である剃刀ブレードユニット（５）。
2009540885.tif 000002
【特許請求の範囲】
【請求項１】
フレーム（１０）と、前記フレームに移動可能に取り付けられた少なくとも１つのブレード（２５）と、を備える剃刀ブレードユニットであって、
前記ブレードは、上面（２７）と、下面（２８）と、刃先（２６）と、を有し、
前記フレーム（１０）は、少なくとも１つの上停止部分（５２）を有し、
前記ブレード（２５）は、当該ブレードが静止位置にあるときに、前記上停止部分（５２）に向けて弾性的に付勢されており、
前記ブレードの前記上面（２７）は、当該ブレードが静止位置にあるときに前記上停止部分（５２）を当接支持し、
前記上面（２７）は、前記上停止部分（５２）とほぼ平行であることを特徴とする剃刀ブレードユニット。
【請求項２】
前記ブレード（２５）は、シェービング中に遭遇する力を受けて移動可能であり、
前記静止位置は、前記ブレードの最大露出位置であることを特徴とする請求項１に記載の剃刀ブレードユニット。
【請求項３】
前記フレーム（１０）は、前記ブレード（２５）を前記静止位置に向けて弾性的に付勢する少なくとも１つの弾性指部（４４）を有することを特徴とする請求項１または２に記載の剃刀ブレードユニット。
【請求項４】
前記フレーム（１０）は、合成材料で形成されていることを特徴とする請求項１から３のいずれか１項に記載の剃刀ブレードユニット。
【請求項５】
前記フレーム（１０）は、金属が除かれていることを特徴とする請求項１から４のいずれか１項に記載の剃刀ブレードユニット。
【請求項６】
前記ブレードの前記上及び下面（２７、２８）は、それぞれ平行な主面（２９、３０）と、前記刃先（２６）に向けて先細りする２つのテーパ状小平面（３１、３２）と、を有し、
前記上面の前記テーパ状小平面（３１）は、前記静止位置において前記上停止部分（５２）を当接支持し、
前記上面の前記テーパ状小平面（３１）は、前記上停止部分（５２）とほぼ平行であることを特徴とする請求項１から５のいずれか１項に記載の剃刀ブレードユニット。
【請求項７】
前記フレーム（１０）は、保護部（１２）と、キャップ部（２２）と、前記保護部（１２）を前記キャップ部（２２）に結合する２つの側部分（１５、２１）と、を有し、
前記ブレード（２５）は、それぞれが２つの前記側部分（１５、２１）と近接する２つの横端部（３３）間で前記保護部（１２）及び前記キャップ部（２２）と平行に延在し、
前記側部分は、前記ブレードの２つの前記横端部（３３）それぞれが前記静止位置において当接支持する２つの上停止部分（５２）を有し、
前記ブレードの前記上面（２７）は、２つの前記上停止部分（５２）とほぼ平行であることを特徴とする請求項１から６のいずれか１項に記載の剃刀ブレードユニット。
【請求項８】
複数の平行なブレード（２５）を有し、
前記側部分（１５、２１）は、各前記ブレード（２５）について、各前記ブレードの２つの前記横端部（３３）それぞれが前記静止位置において当接支持する２つの上停止部（５２）を有し、
各前記ブレードの前記上面（２７）は、対応する前記上停止部分（５２）とほぼ平行であることを特徴とする請求項７に記載の剃刀ブレードユニット。
【請求項９】
前記ブレード（２５）は、前記フレームの２つの前記側部分（１５、２１）それぞれに設けられた２つのスロット（４５）にスライド取付されていることを特徴とする請求項１から８のいずれか１項に記載の剃刀ブレードユニット。
【請求項１０】
前記ブレード（２５）は、前記スロットと平行な面内で延在する下部分（３５）と、当該ブレード（２５）と平行な面内で延在する上部分（３９）と、を有する曲支持部（３４）によって支持されており、
前記下部分（３９）は、前記スロットにスライド取付された２つの横部分（４０）間で前記刃先（２６）と平行に延在することを特徴とする請求項９に記載の剃刀ブレードユニット。
【請求項１１】
前記フレームの各前記スロット（４５）は、前記フレームの対応する側部分（１５、２１）に属する前方ガイド面（４７）及び後方ガイド面（４８）に形成されており、
前記前方ガイド面（４７）は、前記保護部（１２）に近接し、
前記後方ガイド面（４８）は、前記キャップ部（２２）に近接し、
前記前方及び後方ガイド面（４７、４８）は、前記ブレードの前記刃先（２６）と平行に互いに対して横方向にオフセットされていることを特徴とする請求項１０に記載の剃刀ブレードユニット。
【請求項１２】
ブレード支持部の前記下部分の各前記横部分（４０）は、側縁部（４１）を有し、
前記側部分（４０）がスライド取付される前記スロット（４５）は、前記側縁部（４１）に近接するその前記前方ガイド面（４７）と、前記側縁部（４１）からさらに離間するその前記後方ガイド面（４８）と、を有することを特徴とする請求項１１に記載の剃刀ブレードユニット。
【請求項１３】
前記フレームの各前記側部分（１５、２１）は、前記前方ガイド面（４７）に近接しかつ前記曲支持部の前記上部分（３９）の下方に配置される下停止部分をさらに有し、前記ブレード（２５）及び前記曲支持部（３４）における前記静止位置から離間するスライドを制限することを特徴とする請求項１０から１２のいずれか１項に記載の剃刀ブレードユニット。
【請求項１４】
前記下停止部分（５０）は、前記曲支持部の前記上部分（３９）とほぼ平行であることを特徴とする請求項１３に記載の剃刀ブレードユニット。
【請求項１５】
前記ブレード支持部の前記下部分の各前記横部分（４０）は、側縁部（４１）を有し、
前記ブレード支持部の前記下部分の前記横部分（４０）は、前記上部分（３９）から及び前記ブレード（２５）から横方向に突出し、
各前記下停止部分（５０）は、前記前方ガイド面（４７）から横方向に前記ブレード支持部の前記下部分の対応する前記側縁部（４１）から離間してオフセットされていることを特徴とする請求項１３または１４に記載の剃刀ブレードユニット。
【請求項１６】
前記曲支持部の前記上部分（３９）は、２つの横縁部（４２）間で前記刃先（２６）と平行に延在し、
前記フレームの各前記側部分（１５、２１）は、それぞれが前記曲支持部の前記上部分の前記横縁部（４２）を向く２つの横ガイド面（４５）を有することを特徴とする請求項１０から１５のいずれか１項に記載の剃刀ブレードユニット。
【請求項１７】
前記ブレード（２５）は、２つの前記横端部（３３）間で前記保護部（１２）及び前記キャップ部（２２）と平行に延在し、
前記曲支持部の前記上部分（３９）の前記横縁部は、前記ブレードの対応する前記横端部（３３）から横方向に突出する丸みのある突出部（４２）を有し、
丸みのある前記突出部（４２）は、対応する前記横ガイド面（４９）とスライド係合することを特徴とする請求項１６に記載の剃刀ブレードユニット。
【請求項１８】
前記曲支持部（３４）は、切り抜かれて曲げられたシート状の金属部品であって丸みのある前記突出部（４２）を構成する横翼部を有するシート状の金属部品であり、
前記横翼部は、丸角部を有することを特徴とする請求項１７に記載の剃刀ブレードユニット。
【請求項１９】
前記フレームの各前記スロット（４５）は、当該フレームの対応する前記側部分（１５、２１）に属する前方ガイド面（４７）及び後方ガイド面（４８）の間に形成されており、
前記前方ガイド面（４７）は、前記保護部（１２）に近接し、
前記後方ガイド面（４８）は、前記キャップ部（２２）に近接し、
前記前方及び後方ガイド面（４７、４８）は、前記ブレードの前記刃先（２５）と平行に互いに対して横方向でオフセットされ、
前記フレームの各前記側部分（１５、２１）は、前記前方ガイド面（４７）に近接しかつ前記曲支持部の前記上部分（３９）の下方に配置された下停止部分（５０）をさらに有し、前記ブレード（２５）及び前記曲支持部（３４）の前記静止位置から離間したスライドを制限し、
当該剃刀ブレードユニットは、複数の平行な前記ブレード（２５）を有し、
前記フレームの各前記側部分（１５、２１）は、仕切部（５０ａ）によって分離された少なくとも２つのスロット（４５）を有し、
前記仕切部（５０ａ）は、
−  １つの前記スロット（４５）における前記前方ガイド面（４７）、前記後方停止部分（５０）及び前記横ガイド面（４９）と、
−  他の前記スロット（４５）における前記後方ガイド面（４８）と、
を有することを特徴とする請求項１６から１８のいずれか１項に記載の剃刀ブレードユニット。
【請求項２０】
ハンドル（２）と、
請求項１から１９のいずれか１項に記載の剃刀ブレードユニット（５）であって前記ハンドル（２）に取り付けられた剃刀ブレードユニット（５）と、
を有することを特徴とする安全剃刀。
【発明の詳細な説明】
【技術分野】
【０００１】
本発明は、剃刀のブレードユニット及びこのようなブレードユニットを有する安全剃刀に関する。
【０００２】
より具体的には、本発明は、フレームと、上記フレームに移動可能に取り付けられた少なくとも１つのブレードと、を有し、上記ブレードが、上面、下面及び刃先を有し、上記フレームが、少なくとも１つの上停止部分を有し、上記ブレードが、上記上停止部分に向けて弾性的に付勢され、上記ブレードが、静止位置にある剃刀のブレードユニットに関する。
【背景技術】
【０００３】
特許文献１は、このような既知の剃刀のブレードユニットの一例を開示しており、このブレードユニットは、ブレードがそれらの最大露出位置にあるときに、ブレードの刃先がブレードの上停止部を当接支持している。
【０００４】
そのため、ブレードの刃先は、（この場合プラスチックで形成されている）上停止部分内に侵入しており、かつ／または、ブレードがそれらの静止位置にあるときに損傷を受け、静止しているブレードの露出は、良好に規定されない。これは、さらにシェービングの精度不足を引き起こす。
【先行技術文献】
【特許文献】
【０００５】
【特許文献１】米国特許出願公開第２００２／０１４４４０４号明細書
【発明の概要】
【発明が解決しようとする課題】
【０００６】
本発明の１つの目的は、この欠陥を回避することである。
【課題を解決するための手段】
【０００７】
このため、本発明において、このタイプの剃刀ブレードユニットでは、上記ブレードの上面は、ブレードが静止位置にあるときに上停止部分を当接支持し、上記上面は、上停止部分とほぼ平行である。
【０００８】
これらの配置の結果、ブレードの縁部は、上停止部分に侵入せず、ブレードによって受ける弾性的な付勢を受けて上停止部分によって損傷を受けず、ブレードの静止位置は、良好に規定され、安全剃刀のブレードユニットは、正確なシェービングを可能とする。
【０００９】
本発明のさまざまな形態では、以下の１つ及び／または他の配置を加えて頼みとしてもよく、以下の配置は、
−  ブレードは、シェービング中に遭遇する力を受けて移動可能であり、静止位置は、ブレードの最大露出位置であること、
−  フレームは、ブレードを静止位置に向けて弾性的に付勢する少なくとも１つの弾性指部を有すること、
−  フレームは、合成材料で形成されていること、
−  フレームは、金属が除かれていること、
−  ブレードの上及び下面は、それぞれ平行な主面と、刃先に向けて先細りする２つのテーパ状小平面と、を有し、上面のテーパ状小平面は、静止位置において上停止部分を当接支持し、上面のテーパ状小平面は、上停止部分とほぼ平行であること、
−  フレームは、保護部と、キャップ部と、保護部をキャップ部に結合する２つの側部分と、を有し、ブレードは、それぞれが２つの側部分と近接する２つの横端部間で保護部及びキャップ部と平行に延在し、側部分は、ブレードの２つの横端部それぞれが静止位置において当接支持する２つの上停止部分を有し、ブレードの上面は、２つの上停止部分とほぼ平行であること、
−  複数の平行なブレードを有し、側部分は、各ブレードについて、各ブレードの２つの横端部それぞれが静止位置において当接支持する２つの上停止部を有し、各ブレードの上面は、対応する上停止部分とほぼ平行であること、
−  ブレードは、フレームの２つの側部分それぞれに設けられた２つのスロットにスライド取付されていること、
−  ブレードは、スロットと平行な面内で延在する下部分と、ブレードと平行な面内で延在する上部分と、を有する曲支持部によって支持されており、下部分は、スロットにスライド取付された２つの横部分間で刃先と平行に延在すること、
−  フレームの各スロットは、フレームの対応する側部分に属する前方ガイド面及び後方ガイド面に形成されており、前方ガイド面は、保護部に近接し、後方ガイド面は、キャップ部に近接し、前方及び後方ガイド面は、ブレードの刃先と平行に互いに対して横方向にオフセットされていること、
−  ブレード支持部の下部分の各横部分は、側縁部を有し、側部分がスライド取付されるスロットは、側縁部に近接するその前方ガイド面と、側縁部からさらに離間するその後方ガイド面と、を有すること、
−  フレームの各側部分は、前方ガイド面に近接しかつ曲支持部の上部分の下方に配置される下停止部分をさらに有し、ブレード及び曲支持部における静止位置から離間するスライドを制限すること、
−  下停止部分は、曲支持部の上部分とほぼ平行であること、
−  ブレード支持部の下部分の各横部分は、側縁部を有し、ブレード支持部の下部分の横部分は、上部分から及びブレードから横方向に突出し、各下停止部分は、前方ガイド面から横方向にブレード支持部の下部分の対応する側縁部から離間してオフセットされていること、
−  曲支持部の上部分は、２つの横縁部間で刃先と平行に延在し、フレームの各側部分は、それぞれが曲支持部の上部分の横縁部を向く２つの横ガイド面を有すること、
−  ブレードは、２つの横端部間で保護部及びキャップ部と平行に延在し、曲支持部の上部分の横縁部は、ブレードの対応する横端部から横方向に突出する丸みのある突出部を有し、丸みのある突出部は、対応する横ガイド面とスライド係合すること（この特徴は、上記配置と独立して使用されることに留意すべきである）、
−  曲支持部は、切り抜かれて曲げられたシート状の金属部品であって丸みのある突出部を構成する横翼部を有するシート状の金属部品であり、横翼部は、丸角部を有すること、
−  フレームの各スロットは、フレームの対応する側部分に属する前方ガイド面及び後方ガイド面の間に形成されており、前方ガイド面は、保護部に近接し、後方ガイド面は、キャップ部に近接し、前方及び後方ガイド面は、ブレードの刃先と平行に互いに対して横方向でオフセットされ、フレームの各側部分は、前方ガイド面に近接しかつ曲支持部の上部分の下方に配置された下停止部分をさらに有し、ブレード及び曲支持部の静止位置から離間したスライドを制限し、剃刀ブレードユニットは、複数の平行なブレードを有し、フレームの各側部分は、仕切部によって分離された少なくとも２つのスロットを有し、仕切部は、
＊  １つのスロットにおける前方ガイド面、後方停止部分及び横ガイド面と、
＊  他のスロットにおける後方ガイド面と、
を有すること、
である。
【００１０】
その上、本発明の他の目的は、ハンドルと、上で規定されたような剃刀ブレードユニットであって前記ハンドルに取り付けられた剃刀ブレードユニットと、を有する安全剃刀である。
【００１１】
本発明の他の特徴及び有利点は、以下の１つのその実施形態における詳細な説明であって非限定的な例として与えられる詳細な説明から、及び添付の図面を参照することにより、明確になる。
【図面の簡単な説明】
【００１２】
【図１】本発明の一実施形態における安全剃刀を示す斜視図である。
【図２】図１の安全剃刀のブレードユニットを示す拡大斜視図である。
【図３】図２のブレードユニットにおける線III−IIIに沿う断面図である。
【図４】図２及び図３に示すブレードユニットにおける１つのブレード部材の詳細な断面図である。
【図５】図４のブレード部材を示す頂面図である。
【図６】図４のブレード部材を示す後面図である。
【図７】図４〜図６のブレード部材の一端部を示す斜視図である。
【図８】図４〜図７のブレード部材に属するブレード支持部を示す斜視図である。
【図９】図８のブレード支持部の一端部であってそれが曲げられる前の一端部を示す詳細な平面図である。
【図１０】図２及び図３のブレードユニットに属するプラットホーム部材を示す下方からの斜視図である。
【図１１】図２及び図３のブレードユニットに属するプラットホーム部材を示す上面からの斜視図である。
【図１２】図１０及び図１１のプラットホーム部材の保護部を示す詳細な断面図である。
【図１３】図１０及び図１１のプラットホーム部材を示す詳細な平面図であって、そこに取り付けられたブレード部材の１つをさらに示す平面図である。
【図１４】図１３の線XIV−XIVに沿う断面図であってブレード部材のないプラットホームを示す断面図である。
【図１５】図１３の線XV−XVに沿う断面図であってブレード部材のないプラットホームを示す断面図である。
【図１６】ブレードユニット一式を示す断面斜視図であって図１１の線XVI−XVIに沿う断面斜視図である。
【図１７】図１６のXVIIの詳細を示す拡大図であってカバーのない拡大図である。
【図１８】ブレードユニット一式を示す断面図であって図１１の線XVIII−XVIIIに沿う断面図である。
【図１９】図１８のXIXの詳細を示す拡大図である。
【発明を実施するための形態】
【００１３】
図において、同一の参照符号は、同一または同様の要素を示している。
【００１４】
図１は、安全剃刀１（同様にウェットシェーバと称される）、すなわち、シェーバであってそのブレードがブレードユニットに関するモータによって駆動されないシェーバを示している。
【００１５】
シェーバ１は、基端部分３とブレードユニット５またはシェービングヘッドを支持する先端部分４との間の長手方向Ｌで延在するハンドル２を有する。長手方向Ｌは、曲げられてもよく、または１または複数の直線部分を有してもよい。
【００１６】
ブレードユニット５は、１または複数のブレードが備えられた上面６と、接続機構８によってハンドル２の先端部分４に接続される下面７と、を有する。接続機構８は、例えばブレードユニット５を長手方向Ｌに対してほぼ垂直な回動軸Ｘに関して回動させることができる。上記接続機構は、さらに、ブレードユニットを交換する目的でブレードユニットを選択的に開放できる。本発明において使用可能な接続機構の１つの特定の例は、文献の国際公開第２００６／０２７０１８号パンフレットで説明されている。
【００１７】
図１に示す特定の例において、ハンドル２は、上述した文献の国際公開第２００６／０２７０１８号パンフレットで述べられかつユーザ作動スイッチ９によって制御される内部振動機構（図示略）をさらに有してもよい。
【００１８】
もちろん、本発明は、このような振動ハンドルやブレードユニット５をハンドル２に接続する特定の接続機構に制限されない。
【００１９】
図２及び図３に示すように、ブレードユニット５は、合成材料のみ、すなわちプラスチック材料及びエラストマ系材料で形成されたフレーム１０を有している。
【００２０】
より詳細には、フレーム１０は、接続機構８によってハンドル２に接続されたプラスチックのプラットホーム部材１１であって、
−  回動軸Ｘと平行に延在する保護部１２と、
−  シェービング方向で保護部１２の後方に位置するブレード収容セクション１３と、
−  回動軸Ｘと平行に延在し、かつシェービング方向でブレード収容セクション１３の後方に位置するキャップ部分１４と、
−  保護部１２の長手方向端部及びキャップ部分１４の長手方向端部を共に結合する２つの側部分１５と、
を有するプラットホーム部材１１を有する。
【００２１】
保護部１２の後方部分３７の上面とキャップ部分１４の前方部分３８の上面とは、シェービング中に使用者の肌に接触し、上記後方部分３７及び前方部分３８の上面と接する基準面Ｐを形成する。
【００２２】
図示される例において、保護部１２は、回動軸Ｘと平行に延在する複数のフィン１７を形成する弾性層１６によって覆われている。図１２においてより詳細に示されているように、弾性層１６は、例えば一直線の４つのフィンを有している。（シェービング方向における）第２のフィン１７は、第１のフィン１７の上方で例えば約０．３４ｍｍの高さｈ１（高さｈ１は、基準面Ｐに対して垂直に測定される）で位置するその頂部を有する一方、第３のフィン１７の頂部は、第２のフィン１７の頂部の上方で例えば約０．２０ｍｍの高さｈ２で位置し、第４のフィン１７の頂部は、第３のフィン１７の頂部の上方で約０．１２ｍｍの高さｈ３で位置し、保護部の後方部分３７であってプラットホーム１１と共に単一片のプラスチック材料として形成された後方部分３７は、第４のフィンのプラスチック材料の上方で約０．６ｍｍの高さで位置する。さらに、図示される特定の例において、第１及び第２のフィン１７間の距離ｅ１は、約０．５２ｍｍであり、第２及び第３のフィン１７間の距離ｅ２は、約０．４８ｍｍであり、第３及び第４のフィン１７間の距離ｅ３は、約０．４５ｍｍであり、第４のフィン及び保護部の後方部分３７の間の距離ｅ４は、約０．４３ｍｍであり、保護部の後方部分３７の幅ｅ５は、約０．５ｍｍである（これら距離ｅ１〜ｅ５は、基準面Ｐと平行かつ回動軸Ｘに対して垂直に測定されている）。
【００２３】
さらに、この特定の例において、プラットホーム部材１１の下面は、接続機構８に属しかつ例えば上記文献の国際公開第２００６／０２７０１８号パンフレットに記載されたような２つのシェル支持部１８を有する。
【００２４】
フレーム１０は、一般的なＵ字形状を示すプラスチックのカバー１９をさらに有し、プラスチックカバー１３は、プラットホームのキャップ部分１４を部分的に被覆するキャップ部分２０とプラットホームの２つの側部材１５を被覆する２つの側部材２１とを有する。
【００２５】
カバーのキャップ部分２０は、プラットホームのキャップ部分１４と共に、シェービング中に使用者の肌と接触するキャップ部２２を形成する。カバー１９のキャップ部分２０は、上向きに方向付けられかつシェービング中に使用者の肌と接触する潤滑ストリップ２３を有してもよい。この潤滑ストリップは、例えばカバーの残りの部分と共に二色成形によって形成されてもよい。
【００２６】
その上、カバーの側部材２１は、プラットホームの側部材１５と共に、保護部１２をキャップ部２２に結合しながらフレームの２つの側部分を形成する。
【００２７】
カバー１９は、任意の既知の手段によって、例えば文献の国際公開第２００５／１０８０２４号パンフレットに記載されているように、例えば超音波溶接によってまたはレーザ溶接によってプラットホーム１１に固定されてもよい。
【００２８】
その上、少なくとも１つのブレード部材２４は、プラットホームのブレード収容セクション１３に移動可能に取り付けられている。ブレード収容セクション１３は、複数のブレード部材２４、例えば図示の例のように４つのブレード部材を有してもよい。
【００２９】
図３〜図７に示すように、各ブレード部材２４は、シェービング方向における前方に方向付けられた刃先２６を有する平鋼(flat steel)のストリップによって形成されたブレード２５を有する。各ブレード２５は、シェービングされる肌に向けて方向付けられた上面２７と、ハンドル２に向けて方向付けられた下面２８と、を有する。ブレードの上及び下面２７、２８は、それぞれ２つの平行主面２９、３０と、刃先２６に向けて先細りする２つのテーパ状小平面３１、３２と、を有する。
【００３０】
図５〜図７に示すように、各ブレード２５は、２つの長手方向端部３３の間において長手方向で回動軸Ｘと平行に延在する。
【００３１】
各ブレード２５は、図７〜図９においてより詳細に視認可能である曲支持部３４によって支持されている。曲支持部３４は、
−  ほぼ平坦な（すなわち、基準面Ｐに対してほぼ垂直な）下部分３５と、
−  ブレード２５と平行に延在するほぼ平坦な上部分３９と、
を有する曲げ外形を有する鋼により形成されたシート状の金属部分である。
【００３２】
ブレード２５は、曲支持部の上部分３９に例えばレーザスポット溶接などの任意の既知の方法によって固定されている。
【００３３】
上部分３９及びブレード２５の基準面Ｐに対する角度は、約２２°であってもよい。
【００３４】
図５〜図９に示されるように、曲支持部３４の下部分３５は、２つの横部分４０間で回動軸Ｘに平行な長手方向に延在している。各横部分４０は、側縁部４１を有する。
【００３５】
その上、曲支持部の上部分３９は、それぞれ丸みのある突出部４２を有する２つの横縁部間で長手方向に延在しており、突出部４２は、上部分３９から横方向に突出する丸みのある角部を有する横翼部によって構成され、かつブレードの対応する横端部３３を形成する。
【００３６】
さらに、丸みのある凹部４３は、ブレード支持部を形成するシート金属から切り抜かれており、上記凹部は、丸みのある突出部４２を下部分の横縁部４１から離間させる。
【００３７】
曲支持部の下部分の側縁部４１は、ブレードの横縁部３３から横方向に突出し、丸みのある突出部４２を形成する。
【００３８】
図９に示されているように、曲支持部は、ブレード２５をその上部分３９に溶接する前に曲げられる平坦なシート状の金属部分から形成されてもよい。
【００３９】
図２及び図３に示すように、各ブレード部材３４は、２つの弾性指部４４によって支持されており、２つの弾性指部４４は、プラットホーム１１と共に単一片として成形され、互いに向けてかつプラットホームの側部材１５の双方から上向きに延在している。
【００４０】
その上、図２、図１１及び図１３に示されるように、曲支持部の端部分４０は、プラットホームの各側部材１５の内面に設けられた垂直スロット４５（すなわち、基準面Ｐに対してほぼ垂直なスロット）にスライド取付されている。
【００４１】
プラットホームの各垂直スロット４５は、プラットホームの対応する側部材１５に属する前方ガイド面４７及び後方ガイド面４８の間に形成されている。前方及び後方ガイド面は、互いに対して軸Ｘと平行に横方向でオフセットされている。前方ガイド面４７は、ブレード２５から横方向でオフセットされてもよく、上記前方ガイド面４７は、後方ガイド面４８よりも側部材１５に近接している。
【００４２】
その上、プラットホームの側部材１５である各前方ガイド面４７は、ブレード支持部３４の上部分３９の下方に位置する方向付けられた平坦面を形成しかつ上記上部分３９と平行に延在する下停止部分５０を有する。各下停止部分５０は、シェービング中に遭遇する力を受けて対応するブレード部材２４の下方へのスライドを制限するように設計されている。
【００４３】
さらに、各ブレード部材２４について、プラットホームの各側部材１５は、それぞれが対応するブレード部材の丸みのある突出部４２に面する２つの横ガイド面４９を有し、上記突出部４２は、対応する横ガイド面４９とスライド係合する。横ガイド面４９は、例えば基準面Ｐに垂直な方向に対して２度と５度との間をなす小さな傾斜角を有して互いに向けて傾斜してもよい。
【００４４】
図に示される例において、垂直スロット４５は、仕切部５０ａによって互いに離間され、仕切部５０ａは、プラットホームと共に単一片として成形され、かつ、それぞれが、
−  当該仕切部５０ａの後方に位置するスロットの前方ガイド面４７、横ガイド面４９及び下停止部分５０と、
−  当該仕切部５０ａの前方に位置するスロットの後方ガイド面４８と、
を有する。
【００４５】
図１６〜図１９に示されるように、ブレード部材２４は、弾性腕部４４によって静止位置に向けて弾性的に付勢されている。この静止位置において、ブレードの上面２７は、ブレードの各横端部で、対応する上停止部分５２を当接支持し、上停止部分５２は、カバーの各側部材２１の底面５１に形成され、上記側部材２１は、スロット４５を覆う。
【００４６】
より正確には、図に示される例において、各ブレードの上小平面３１は、上停止部分５２を当接支持し、上記上停止部分５２は、上記上小平面３１と平行になっている。
【００４７】
この配置の結果、ブレード２５の刃先２６は、側部材２１のプラスチック材料を切断せず、ブレード２５は、カバーの上記側部分２１によって損傷を受けない。
【００４８】
このため、ブレード部材２４の静止位置は、良好に規定され、このため、高いシェービング精度が可能となる。
【００４９】
特に、基準面Ｐに対して垂直に測定される各ブレード２５の最大露出ＥＸＰ、すなわちブレードの刃先２６を基準面Ｐから離間する距離（図４参照）は、正確に規定される。図に示す例において、最大露出ＥＸＰは、約＋０．０２ｍｍとなりうる。
【００５０】
その上、図３に示すように、ブレード２４が静止位置にあると、保護部の後方部分３７及び第１のブレードの刃先２６の間のシェービング方向における距離ＳＰ１は、約０．６６ｍｍとなりうる一方、４つのブレードの刃先間の距離ＳＰ２、ＳＰ３、ＳＰ４は、約１．４８ｍｍとなりうる（これら距離ＳＰ１〜ＳＰ４は、基準面Ｐと平行かつ回動軸Ｘに対して垂直に測定されている）。
【符号の説明】
【００５１】
１  シェーバ，安全剃刀、２  ハンドル、５  ブレードユニット、１０  フレーム、１１  プラットホーム，プラットホーム部材（フレーム）、１２  保護部、１５  側部材，側部分、２２  キャップ部、２５  ブレード、２６  刃先、２７  上面、２８  下面、２９，３０  平行主面（主面）、３１  テーパ状小平面，上小平面、３２  テーパ状小平面、３３  横縁部，横端部，長手方向端部、３４  ブレード支持部，ブレード部材，曲支持部、３９  上部分、４０  横部分，端部分、４１  横縁部，側縁部、４２  突出部、４４  弾性指部，弾性腕部、４５  スロット，垂直スロット、４７  前方ガイド面、４８  後方ガイド面、４９  横ガイド面、５０  下停止部分、５０ａ  仕切部、５２  上停止部分
【図１】
2009540885.tif 000003
【図２】
2009540885.tif 000004
【図３】
2009540885.tif 000005
【図４】
2009540885.tif 000006
【図５】
2009540885.tif 000007
【図６】
2009540885.tif 000008
【図７】
2009540885.tif 000009
【図８】
2009540885.tif 000010
【図９】
2009540885.tif 000011
【図１０】
2009540885.tif 000012
【図１１】
2009540885.tif 000013
【図１２】
2009540885.tif 000014
【図１３】
2009540885.tif 000015
【図１４】
2009540885.tif 000016
【図１５】
2009540885.tif 000017
【図１６】
2009540885.tif 000018
【図１７】
2009540885.tif 000019
【図１８】
2009540885.tif 000020
【図１９】
2009540885.tif 000021
【国際調査報告】
2009540885.tif 000022
2009540885.tif 000023